(57)【要約】【課題】    本発明の目的は、使用勝手を向上させた荷物受入装置を提供するものである。【解決手段】    荷物受入装置Ｐは、壁又はドア又はドアの袖付き枠又は引き戸である本体１と、この本体１を貫通し、荷物１０を入れる貫通孔１ａと、本体１に回動自在に接続され、貫通孔１ａを開閉する外側蓋体２と、外側蓋体２の開閉を行う施錠手段３と、貫通孔１ａの本体１の内側に連通し、荷物１０を受け入れる袋体４と、本体１の内側に位置すると共に、本体１に回動自在に接続され、貫通孔１ａを開閉する内側蓋体５とを備え、袋体４は、折曲自在であり、施錠手段３で施錠を解除して外側蓋体２を開け、荷物１０を袋体４内へ入れると、荷物１０が袋体４を介して内側蓋体５に接触して内側蓋体５を回動させると共に、荷物１０が袋体４内へ収納され、その後、外側蓋体２を締めて、施錠することができるものである。【選択図】図４
2020202979.tif 000002
【特許請求の範囲】
【請求項１】
壁又はドア又はドアの袖付き枠又は引き戸である本体と、
この本体を貫通し、荷物を入れる貫通孔と、  
前記本体に回動自在に接続され、前記貫通孔を開閉する外側蓋体と、
前記外側蓋体の開閉を行う施錠手段と、
前記貫通孔の前記本体の内側に連通し、前記荷物を受け入れる袋体と、
前記本体の内側に位置すると共に、前記本体に回動自在に接続され、前記貫通孔を開閉する内側蓋体とを備え、
前記袋体は、折曲自在であり、
前記施錠手段で施錠を解除して前記外側蓋体を開け、荷物を前記袋体内へ入れると、前記荷物が前記袋体を介して前記内側蓋体に接触して前記内側蓋体を回動させると共に、前記荷物が前記袋体内へ収納され、その後、前記外側蓋体を締めて、施錠することができる
ことを特徴とする荷物受入装置。
【請求項２】
壁又はドア又はドアの袖付き枠又は引き戸である本体と、
この本体を貫通し、荷物を入れる貫通孔と、  
前記本体に回動自在に接続され、前記貫通孔を開閉する外側蓋体と、
前記外側蓋体の開閉を行う施錠手段と、
前記貫通孔の前記本体の内側に連通し、前記荷物を受け入れる袋体とを備え、
前記袋体は、折曲自在であり、
前記施錠手段で施錠を解除して前記外側蓋体を開け、荷物を前記袋体内へ入れて収納し、その後、前記外側蓋体を締めて、施錠し、
前記施錠手段で施錠を解除して前記外側蓋体を開け、前記荷物を前記袋体内から取り出す
ことを特徴とする荷物受入装置。
【請求項３】
袋体は、開閉ファスナを介して袋状に閉じられ、前記開閉ファスナの取っ手が前記袋体の外側に位置している
ことを特徴とする請求項１記載の荷物受入装置。
【請求項４】
袋体の入口側の幅寸法が前記袋体の奥行き寸法より長く形成されている
ことを特徴とする請求項１又は請求項２記載の荷物受入装置。
【請求項５】
本体に袋体を収納する袋体収納部が形成され、この袋体収納部に収納された袋体を覆う内側蓋体が前記本体に回動自在に取り付けられている
ことを特徴とする請求項１又は請求項２記載の荷物受入装置。
【請求項６】
壁又はドア又はドアの袖付き枠又は引き戸である本体と、
この本体を貫通し、荷物を入れる貫通孔と、  
前記本体に回動自在に接続され、前記貫通孔を開閉する外側蓋体と、
前記外側蓋体の開閉を行う施錠手段と、
前記貫通孔の前記本体の内側に連通し、前記荷物を受け入れる袋体とを備え、
前記袋体は、折曲自在であり、
前記施錠手段で施錠を解除して前記外側蓋体を開け、前記荷物を前記袋体内へ入れ、収納し、その後、前記蓋体を締めて、施錠することができる
ことを特徴とする荷物受入装置。
【請求項７】
袋体は貫通孔の本体の内側に連通し、内側蓋体と本体に取り付けられ、
前記内側蓋体を前記本体に向かって回動して、前記袋体を折り曲げて収納し、前記内側蓋体を前記本体から離間するように回動して、前記袋体を広げて荷物を受け入れる
ことを特徴とする請求項１〜５のいずれかに記載の荷物受入装置。
【請求項８】
壁又はドア又はドアの袖付き枠又は引き戸である本体と、
この本体を貫通し、荷物を入れる貫通孔と、  
前記本体に回動自在に接続され、前記貫通孔を開閉する外側蓋体と、
前記外側蓋体の開閉を行う施錠手段と、
前記本体に取り付けられ、垂下して前記貫通孔を塞ぐ帯状体と、
前記本体の内側に位置すると共に、前記本体に回動自在に接続された内側蓋体とを備え、
前記施錠手段で施錠を解除して前記外側蓋体を開け、荷物を前記本体の内側に入れると、前記荷物が前記帯状体を介して前記内側蓋体に接触して前記内側蓋体を回動させ、前記荷物が前記帯状体を介して前記本体の内側に収納され、その後、前記外側蓋体を締めて、施錠することができる
ことを特徴とする荷物受入装置。
【発明の詳細な説明】
【技術分野】
【０００１】
本発明は、荷物受入装置に係り、特に、使用勝手を向上させた荷物受入装置に関する。
【背景技術】
【０００２】
従来、玄関ドアの袖付枠の袖部内側に外扉と内扉とをもち中に荷物の有無を検出する荷物センサをもった受渡しボックスを設け、外扉を開き荷物を入れて外扉を閉めると外扉の電気錠が自動的に施錠され赤ランプがついて中に荷物が入っていることを表示し、内扉を開き中の荷物を取り出して内扉を閉めると外扉の電気錠が自動的に解錠され緑ランプがついて中に荷物が入っていないことを表示するよう電気的に制御されるようにした玄関ドアがある（例えば、特許文献参照）。
【先行技術文献】
【特許文献】
【０００３】
【特許文献１】実願平３−１１０７９２号（実開平６−７６５８７号）のＣＤ−ＲＯＭ
【発明の概要】
【発明が解決しようとする課題】
【０００４】
ところが、上記受渡しボックスにあっては、常時、室内側に出っ張っているため、受渡しボックスに接触し、怪我の要因ともなり、使用勝手が良好でないという問題点があった。
【０００５】
本発明は、上記問題点を除去するようにした荷物受入装置を提供することを目的とする。
【課題を解決するための手段】
【０００６】
請求項１記載の荷物受入装置は、壁又はドア又はドアの袖付き枠又は引き戸である本体と、この本体を貫通し、荷物を入れる貫通孔と、前記本体に回動自在に接続され、前記貫通孔を開閉する外側蓋体と、前記外側蓋体の開閉を行う施錠手段と、前記貫通孔の前記本体の内側に連通し、前記荷物を受け入れる袋体と、前記本体の内側に位置すると共に、前記本体に回動自在に接続され、前記貫通孔を開閉する内側蓋体とを備え、前記袋体は、折曲自在であり、前記施錠手段で施錠を解除して前記外側蓋体を開け、荷物を前記袋体内へ入れると、前記荷物が前記袋体を介して前記内側蓋体に接触して前記内側蓋体を回動させると共に、前記荷物が前記袋体内へ収納され、その後、前記外側蓋体を締めて、施錠することができるものである。
【０００７】
また、請求項２記載の荷物受入装置は、壁又はドア又はドアの袖付き枠又は引き戸である本体と、この本体を貫通し、荷物を入れる貫通孔と、前記本体に回動自在に接続され、前記貫通孔を開閉する外側蓋体と、前記外側蓋体の開閉を行う施錠手段と、前記貫通孔の前記本体の内側に連通し、前記荷物を受け入れる袋体とを備え、前記袋体は、折曲自在であり、前記施錠手段で施錠を解除して前記外側蓋体を開け、荷物を前記袋体内へ入れて収納し、その後、前記外側蓋体を締めて、施錠し、前記施錠手段で施錠を解除して前記外側蓋体を開け、前記荷物を前記袋体内から取り出すものである。
【０００８】
また、請求項３記載の荷物受入装置は、請求項１記載の荷物受入装置において、 袋体は、開閉ファスナを介して袋状に閉じられ、前記開閉ファスナの取っ手が前記袋体の外側に位置しているものである。
【０００９】
また、請求項４記載の荷物受入装置は、請求項１又は請求項２記載の荷物受入装置において、袋体の入口側の幅寸法が前記袋体の奥行き寸法より長く形成されているものである。
【００１０】
また、請求項５記載の荷物受入装置は、請求項１又は請求項２記載の荷物受入装置において、本体に袋体を収納する袋体収納部が形成され、この袋体収納部に収納された袋体を覆う内側蓋体が前記本体に回動自在に取り付けられているものである。
【００１１】
また、請求項６記載の荷物受入装置は、壁又はドア又はドアの袖付き枠又は引き戸である本体と、この本体を貫通し、荷物を入れる貫通孔と、前記本体に回動自在に接続され、前記貫通孔を開閉する外側蓋体と、前記外側蓋体の開閉を行う施錠手段と、前記貫通孔の前記本体の内側に連通し、前記荷物を受け入れる袋体とを備え、前記袋体は、折曲自在であり、前記施錠手段で施錠を解除して前記外側蓋体を開け、前記荷物を前記袋体内へ入れ、収納し、その後、前記蓋体を締めて、施錠することができるものである。
【００１２】
また、請求項７記載の荷物受入装置は、請求項１〜５のいずれかに記載の荷物受入装置において、袋体は貫通孔の本体の内側に連通し、内側蓋体と本体に取り付けられ、前記内側蓋体を前記本体に向かって回動して、前記袋体を折り曲げて収納し、前記内側蓋体を前記本体から離間するように回動して、前記袋体を広げて荷物を受け入れるものである。
【００１３】
また、請求項８記載の荷物受入装置は、壁又はドア又はドアの袖付き枠又は引き戸である本体と、この本体を貫通し、荷物を入れる貫通孔と、前記本体に回動自在に接続され、前記貫通孔を開閉する外側蓋体と、前記外側蓋体の開閉を行う施錠手段と、前記本体に取り付けられ、垂下して前記貫通孔を塞ぐ帯状体と、前記本体の内側に位置すると共に、前記本体に回動自在に接続された内側蓋体とを備え、前記施錠手段で施錠を解除して前記外側蓋体を開け、荷物を前記本体の内側に入れると、前記荷物が前記帯状体を介して前記内側蓋体に接触して前記内側蓋体を回動させ、前記荷物が前記帯状体を介して前記本体の内側に収納され、その後、前記外側蓋体を締めて、施錠することができるものである。
【発明の効果】
【００１４】
請求項１記載の荷物受入装置によれば、袋体は折曲自在で、例えば、袋体を折り曲げ等してコンパクトにして、従来のような突出物による怪我を防いで、使用勝手の良好な荷物受入装置を得ることができ、しかも、宅配業者が施錠を解除して外側蓋体を開けても、内側蓋体により遮蔽され、本体を介して屋内を見ることができず、防犯効果をも有する。
【００１５】
また、請求項２記載の荷物受入装置によれば、袋体は折曲自在で、例えば、袋体を折り曲げ等してコンパクトにして、従来のような突出物による怪我を防いで、使用勝手の良好な荷物受入装置を得ることができ、しかも、帰宅した際、施錠手段で施錠を解除して外側蓋体を開け、荷物を袋体内から取り出すため、本体がドアの場合、袋体の荷物が障害とならず、ドアの開閉に伴う支障をも防ぐことができる。
【００１６】
また、請求項３記載の荷物受入装置によれば、上述した請求項１記載の発明の効果に加え、荷物を袋体内から取り出す際には、取っ手を本体の内側に位置する人が把持して前記袋体の一部を開けて開口部を形成し、形成後、前記荷物を前記開口部から取り出すため、外に出ないで、しかも、宅配業者に接触しないで、荷物を袋体内から取り出すことができ、加えて、荷物の収納部が袋体となっているため、袋体が人が入る大きに形成されていても、宅配業者の本体内への侵入を阻止することができる。
【００１７】
また、請求項４記載の荷物受入装置によれば、上述した請求項１又は請求項２記載の発明の効果に加え、袋体の入口側の幅寸法が前記袋体の奥行き寸法より長く形成されているため、長手形状の荷物（例えば、ゴルフバッグ等）を受け入れることができる。
【００１８】
また、請求項５記載の荷物受入装置によれば、上述した請求項１又は請求項２記載の発明の効果に加え、本体に袋体を収納する袋体収納部が形成され、この袋体収納部に収納された袋体を覆う内側蓋体が前記本体に回動自在に取り付けられているため、袋体が使用されないときは、袋体が内側蓋体により室内側に飛び出さないように覆う、つまり、袋体が邪魔とならないようにして、使用勝手の良好な荷物受入装置を得ることができる。
【００１９】
また、請求項６記載の荷物受入装置によれば、袋体は折曲自在で、例えば、袋体を折り曲げ等してコンパクトにして、従来のような突出物による怪我を防いで、使用勝手の良好な荷物受入装置を得ることができる。
【００２０】
また、請求項７記載の荷物受入装置によれば、上述した請求項１〜５の記載の発明の効果に加え、袋体は貫通孔の本体の内側に連通し、内側蓋体と本体に取り付けられ、前記内側蓋体を前記本体に向かって回動して、前記袋体を折り曲げて収納し、前記内側蓋体を前記本体から離間するように回動して、前記袋体を広げて荷物を受け入れるため、袋体をよりコンパクトにして、従来のような突出物による怪我を防いで、使用勝手の良好な荷物受入装置を得ることができる。
【００２１】
また、請求項８記載の荷物受入装置によれば、帯状体は垂下するもので、従来のような突出物による怪我を防いで、使用勝手の良好な荷物受入装置を得ることができ、しかも、宅配業者が施錠を解除して外側蓋体を開けても、貫通孔は、帯状体、内側蓋体により遮蔽され、本体を介して内部を見ることができず、防犯効果をも有する。
【図面の簡単な説明】
【００２２】
【図１】図１は、本願発明の一実施例の荷物受入装置を外側（屋外）から見た概略的正面図である。
【図２】図２は、図１の外側蓋体を拡大して示す概略的一部拡大正面図である。
【図３】図３は、図１のA−Ａ線による概略的断面図である。
【図４】図４（ａ）は、図１の荷物受入装置を内側（屋内）から見た概略的斜視図であり、図４（ｂ）は、図４（ａ）の袋体の概略的斜視図である。
【図５】図５（ａ）は、図１の荷物受入装置の他の実施例の荷物受入装置を内側（屋内）から見た概略的斜視図であり、図５（ｂ）は、図５（ａ）の袋体の概略的斜視図である。
【図６】図６は、図５の使用状態の概略的横断平断面図である。
【図７】図７（ａ）は、図５（ａ）の荷物受入装置の他の実施例の荷物受入装置を内側（屋内）から見た概略的斜視図であり、図７（ｂ）は、図７（ａ）の袋体の概略的斜視図である。
【図８】図８（ａ）は、図７（ａ）の荷物受入装置の他の実施例の荷物受入装置を内側（屋内）から見た概略的斜視図であり、図８（ｂ）は、図８（ａ）の袋体の概略的斜視図である。
【図９】図９は、図１の荷物受入装置と異なる他の実施例の荷物受入装置の概略的正面図である。
【図１０】図１０は、図９の荷物受入装置を内側から見た概略的図である。
【図１１】図１１は、図９の荷物受入装置に荷物が収納された状態を内側から見た概略的図である。
【図１２】図１２（ａ）（ｂ）は、図９の荷物受入装置と異なる他の実施例の荷物受入装置の概略的図で、図１２（ａ）は、説明の関係上、内側蓋体を内側に回動した状態を内側から見た概略的図で、図１２（ｂ）は、荷物が収納された状態を内側から見た概略的図である。
【発明を実施するための形態】
【００２３】
本発明の一実施例の荷物受入装置を図面（図１乃至図８）を参照して説明する。
図１に示すＰは荷物受入装置で、荷物受入装置Ｐは、宅配業者が鍵で施錠手段を解除して外側蓋体を開け、荷物を袋体内へ入れ、その後、前記外側蓋体を締めて、施錠するため、留守の場合、荷物を安全に依頼先に届けることができるものである。
【００２４】
１は本体で、本体１は、例えば、ドア１’に並設して設けられたドアの袖付き枠で、本体１には、本体１を貫通し、荷物１０（図６参照）を入れる貫通孔１ａが設けられている。
なお、本体１は、ドアの袖付き枠の他、ドア１’（図９乃至図１１においては、本体１をドア１’に設けた例を示すもので、図１乃至図８と同一部分に同一符号を符号を付して、その説明を省略する。図１０及び図１１に示す内側蓋体５、５は、本体１に回動自在に取り付けられている。）でも、また、図示しない家屋の壁、引き戸でも良い。
【００２５】
また、２は外側蓋体で、外側蓋体２は、本体１の外側に位置する蓋体で、外側蓋体２は、本体１に回動自在に接続され、貫通孔１ａを開閉するものである。外側蓋体２の開閉は、施錠手段（例えば、電気の力で施錠・解錠を行う電子錠、遠隔操作による電気の力で施錠・解錠を行う電子錠、金属の鍵等）３により行われる。
４は荷物を受け入れる袋体で、袋体４は、貫通孔１ａの本体１の内側に連通するように、本体１に取り付けられている。袋体４は、折曲自在なもの、例えば、デュポン社が開発したアラミド繊維の一種である登録商標ケブラー繊維で形成されている。
【００２６】
また、本体１に袋体４を収納する袋体収納部１Ｘが形成され、この袋体収納部１Ｘに収納された袋体４を覆う内側蓋体５が本体１に回動自在に取り付けられている。
そのため、袋体４が使用されないときは、袋体４が内側蓋体５により室内側に飛び出さないように覆う（図３参照）、
つまり、袋体４が邪魔とならないようにして、使用勝手の良好な荷物受入装置Ｐを得ることができる。
【００２７】
従って、例えば、宅配業者が施錠手段３で施錠を解除して外側蓋体２を開け、荷物１０（図６参照）を袋体４内へ入れると、荷物１０（図６参照）が、図４（ａ）に示すように、袋体４を介して内側蓋体５に接触して内側蓋体５を回動させると共に、荷物１０（図６参照）が袋体４内へ収納され、その後、外側蓋体２を締めて、施錠することができる。
なお、特に、袋体４は折曲自在で、例えば、図３に示すように、袋体４を折り曲げ等してコンパクトにして、従来のような突出物による怪我を防いで、使用勝手の良好な荷物受入装置Ｐを得ることができ、しかも、宅配業者が施錠を解除して外側蓋体２を開けても、内側蓋体５により遮蔽され、本体１を介して屋内を見ることができず、防犯効果をも有する。
また、本体１に貫通孔１ａを形成するが、貫通孔１ａは外側蓋体２と内側蓋体５によりサンドイッチ状に構成されるため、外側蓋体２と内側蓋体５は、断熱及び防音効果をも有する（図３参照）。
なお、上述した実施例においては、袋体収納部１Ｘ及び内側蓋体５を設けたが、本願発明にあっては、これに限らず、請求項６記載の発明のように、袋体収納部１Ｘ及び内側蓋体５を設けなくても良い。
【００２８】
袋体４内の荷物１０（図６参照）を取り出すときには、施錠手段３で施錠を解除して外側蓋体２を開け、荷物１０（図６参照）を袋体４内から取り出すことができる。
そのため、本体１がドア１’の場合、袋体４の荷物が障害とならず、ドア１’の開閉に伴う支障をも防ぐことができる。
【００２９】
袋体４は、袋状に閉じられていれば良いが、望ましくは、開閉ファスナを介して袋状に閉じられ、開閉ファスナの取っ手４１が袋体４の外側に位置しているのが良い（図４参照）。
開閉ファスナの取っ手４１が袋体４の外側に位置している場合、荷物１０（図６参照）を袋体４内から取り出す際には、取っ手４１を本体１の内側（屋内）に位置する人が把持して袋体４の一部を開けて開口部を形成し、形成後、荷物１０（図６参照）を前記開口部から取り出すため、外に出ないで、しかも、宅配業者に接触しないで、荷物１０（図６参照）を袋体４内から取り出すことができ、加えて、荷物１０（図６参照）の収納部が袋体４となっているため、袋体４が人が入る大きに形成されていても、宅配業者の本体１内への侵入を阻止することができる。
【００３０】
上述した実施例においては、荷物１０（図６参照）を袋体４内から取り出す際には、取っ手４１を本体１の内側（屋内）に位置する人が把持して袋体４の一部を開けて開口部を形成し、形成後、荷物１０（図６参照）を前記開口部から取り出すようにしたが、本願発明にあっては、これに限らず、施錠手段３で施錠を解除して外側蓋体２を開け、荷物１０を袋体４内から取り出すようにしても良い。
【００３１】
また、袋体４の入口側の幅寸法Ｗが袋体４の奥行き寸法Ｌより長く形成されている（図４のＷ＞Ｌ参照）のが良い。長手形状の荷物（例えば、ゴルフバッグ等）を袋体４内に受け入れることができる。
【００３２】
また、内側蓋体５は、図４（ａ）に示すように、水平方向に回動し、通常は、袋体４を折曲し、袋体収納部１Ｘ内に収納し、収納状態を内側蓋体５の磁石５１と本体１に設けた磁性体（例えば、鉄）１１で保持するようにしても良いし、また、内側蓋体５は、図５（ａ）に示すように、垂直方向に回動し、通常は、袋体４を折曲し、袋体収納部１Ｘ内に収納し、収納状態を内側蓋体５の磁石５１と本体１に設けた磁性体１１で保持するようにしても良いし、また、内側蓋体５は、図７（ａ）に示すように、垂直方向に回動し、通常は、袋体４を折曲し、袋体収納部１Ｘ内に収納し、収納状態を垂下する内側蓋体５で保持するようにしても良いし、また、内側蓋体５は、図８（ａ）に示すように、二分割し、水平方向に回動し、通常は、袋体４を折曲し、袋体収納部１Ｘ内に収納し、収納状態を内側蓋体５の磁石５１と本体１に設けた磁性体１１で保持するようにしても良い。
【００３３】
また、袋体４は、図４（ａ）（ｂ）に示すように、それ自体で袋状にファスナーを介して構成しても良いし、図５（ａ）（ｂ）、図７（ａ）（ｂ）、図８（ａ）（ｂ）に示すように、他の部材（例えば、内側蓋体５）を用いて袋状に構成しても良い。
即ち、袋体４は、図５（ａ）、図６（ａ）、図７（ａ）、図８（ａ）に示すように、貫通孔１ａの本体１の内側に連通し、内側蓋体５と本体１に取り付けられ、内側蓋体５を本体１に向かって回動して、袋体１を折り曲げて収納し、内側蓋体５を本体１から離間するように回動して、袋体４を広げて荷物１０（図６参照）を受け入れるようにしても良い。
【００３４】
なお、上述した図１乃至図８記載の荷物受入装置Ｐにあっては、袋体４を貫通孔１ａの本体１の内側に連通し、荷物１０を受け入れるようにしたが、本願発明にあっては、これに限らず、袋体４に替えて、例えば、図１２（ａ）（ｂ）に示すような「本体１に取り付けられ、垂下して貫通孔１ａを塞ぐ帯状体４’」でも良い。
【００３５】
即ち、かかる場合の荷物受入装置Ｐは、壁又はドア又はドアの袖付き枠又は引き戸である本体１と、この本体１を貫通し、荷物１０を入れる貫通孔（図示せず）と、本体１に回動自在に接続され、貫通孔（図示せず）を開閉する外側蓋体２と、外側蓋体２の開閉を行う施錠手段３と、本体１に取り付けられ、垂下して貫通孔（図示せず）を塞ぐ帯状体４’と、本体１の内側に位置すると共に、本体１に回動自在に接続された内側蓋体５とを備え、施錠手段３で施錠を解除して外側蓋体２を開け、荷物１０を本体１の内側に入れると、荷物１０が帯状体４’を介して内側蓋体５に接触して内側蓋体５を回動させ、荷物１０が帯状体４’を介して本体１の内側に収納され、その後、外側蓋体２を締めて、施錠することができる。
荷物１０を取り出す際には、室内側から取り出しても良いし、施錠手段３で施錠を解除して外側蓋体２を開け、荷物１０を室外外から取り出すようにしても良い。
【００３６】
その結果、本実施例の荷物受入装置Ｐによれば、帯状体４’は垂下するもので、従来のような突出物による怪我を防いで、使用勝手の良好な荷物受入装置Ｐを得ることができ、しかも、宅配業者が施錠を解除して外側蓋体２を開けても、貫通孔１ａは、帯状体４’、内側蓋体５により遮蔽され、本体１を介して内部を見ることができず、防犯効果をも有する。
【００３７】
なお、図３に示す７は、丁番で、図５（ａ）、図７（ａ）、図１２（ａ）に示す６は、本体１と内側蓋体５とを接続する接続体（例えば、ワイヤー、紐状部材等）である。
【符号の説明】
【００３８】
Ｐ        荷物受入装置
１        本体
１ａ      貫通孔
２        外側蓋体
３        施錠手段
４        袋体
５        内側蓋体
１０      荷物
【図１】
2020202979.tif 000003
【図２】
2020202979.tif 000004
【図３】
2020202979.tif 000005
【図４】
2020202979.tif 000006
【図５】
2020202979.tif 000007
【図６】
2020202979.tif 000008
【図７】
2020202979.tif 000009
【図８】
2020202979.tif 000010
【図９】
2020202979.tif 000011
【図１０】
2020202979.tif 000012
【図１１】
2020202979.tif 000013
【図１２】
2020202979.tif 000014
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
壁又はドア又はドアの袖付き枠又は引き戸である本体と、
この本体を貫通し、荷物を入れる貫通孔と、  
前記本体に回動自在に接続され、前記貫通孔を開閉する外側蓋体と、
前記外側蓋体の開閉を行う施錠手段と、
前記貫通孔内に収納され、前記貫通孔の前記本体の内側に連通し、前記荷物を受      け入れる袋体と、
前記本体の内側に位置すると共に、前記本体に回動自在に接続され、前記貫通孔      を開閉する内側蓋体とを備え、
前記袋体は、折曲自在であり、
前記施錠手段で施錠を解除して前記外側蓋体を開け、荷物を前記袋体内へ入れる      と、前記荷物が前記袋体を介して前記内側蓋体に接触して前記内側蓋体を回動させ      ると共に、前記荷物が前記袋体内へ収納され、その後、前記外側蓋体を締めて、施      錠することができ、
前記外側蓋体の施錠時、前記外側蓋体の外表面と前記本体の外表面とは同面であ  ると共に、前記外側蓋体を当接する垂直当接部が前記貫通孔内に設けられている
ことを特徴とする荷物受入装置。
【請求項２】
壁又はドア又はドアの袖付き枠又は引き戸である本体と、
この本体を貫通し、荷物を入れる貫通孔と、  
前記本体に回動自在に接続され、前記貫通孔を開閉する外側蓋体と、
前記外側蓋体の開閉を行う施錠手段と、
前記貫通孔の前記本体の内側に連通し、前記荷物を受け入れる袋体と、
前記本体の内側に位置すると共に、前記本体に回動自在に接続され、前記貫通孔を    開閉する内側蓋体とを備え、
この内側蓋体は、水平方向に回動するものであり、前記荷物の侵入により回動する ものであり、
前記袋体は、折曲自在であり、
前記施錠手段で施錠を解除して前記外側蓋体を開け、荷物を前記袋体内へ入れると    、前記荷物が前記袋体を介して前記内側蓋体に接触して前記内側蓋体を回動させると    共に、前記荷物が前記袋体内へ収納され、前記荷物は前記袋体を介して前記本体の内 側の床面に当接し、その後、前記外側蓋体を締めて、施錠することができる
ことを特徴とする荷物受入装置。
【手続補正２】
【補正対象書類名】明細書
【補正対象項目名】０００６
【補正方法】変更
【補正の内容】
【０００６】
請求項１記載の荷物受入装置は、 壁又はドア又はドアの袖付き枠又は引き戸である本体と、この本体を貫通し、荷物を入れる貫通孔と、前記本体に回動自在に接続され、前記貫通孔を開閉する外側蓋体と、前記外側蓋体の開閉を行う施錠手段と、前記貫通孔内に収納され、前記貫通孔の前記本体の内側に連通し、前記荷物を受け入れる袋体と、前記本体の内側に位置すると共に、前記本体に回動自在に接続され、前記貫通孔を開閉する内側蓋体とを備え、前記袋体は、折曲自在であり、前記施錠手段で施錠を解除して前記外側蓋体を開け、荷物を前記袋体内へ入れると、前記荷物が前記袋体を介して前記内側蓋体に接触して前記内側蓋体を回動させると共に、前記荷物が前記袋体内へ収納され、その後、前記外側蓋体を締めて、施錠することができ、前記外側蓋体の施錠時、前記外側蓋体の外表面と前記本体の外表面とは同面であると共に、前記外側蓋体を当接する垂直当接部が前記貫通孔内に設けられているものである。
【手続補正３】
【補正対象書類名】明細書
【補正対象項目名】０００７
【補正方法】変更
【補正の内容】
【０００７】
また、請求項２記載の荷物受入装置は、壁又はドア又はドアの袖付き枠又は引き戸である本体と、この本体を貫通し、荷物を入れる貫通孔と、前記本体に回動自在に接続され、前記貫通孔を開閉する外側蓋体と、前記外側蓋体の開閉を行う施錠手段と、前記貫通孔の前記本体の内側に連通し、前記荷物を受け入れる袋体と、前記本体の内側に位置すると共に、前記本体に回動自在に接続され、前記貫通孔を開閉する内側蓋体とを備え、この内側蓋体は、水平方向に回動するものであり、前記荷物の侵入により回動するものであり、前記袋体は、折曲自在であり、前記施錠手段で施錠を解除して前記外側蓋体を開け、荷物を前記袋体内へ入れると、前記荷物が前記袋体を介して前記内側蓋体に接触して前記内側蓋体を回動させると共に、前記荷物が前記袋体内へ収納され、前記荷物は前記袋体を介して前記本体の内側の床面に当接し、その後、前記外側蓋体を締めて、施錠することができるものである。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
壁又はドア又はドアの袖付き枠又は引き戸である本体と、
この本体を貫通し、荷物を入れる貫通孔と、  
前記本体に回動自在に接続され、前記貫通孔を開閉する外側蓋体と、
前記外側蓋体の開閉を行う施錠手段と、
前記貫通孔の前記本体の内側に連通し、前記荷物を受け入れる袋体と、
前記本体の内側に位置すると共に、前記本体に回動自在に接続され、前記貫通孔を    開閉する内側蓋体とを備え、
この内側蓋体は、水平方向に回動するものであり、前記荷物の侵入により回動する    ものであり、
前記袋体は、折曲自在であり、
前記施錠手段で施錠を解除して前記外側蓋体を開け、荷物を前記袋体内へ入れると    、前記荷物が前記袋体を介して前記内側蓋体に接触して前記内側蓋体を回動させると    共に、前記荷物が前記袋体内へ収納され、前記荷物は前記袋体を介して前記本体の内    側の床面に当接し、その後、前記外側蓋体を締めて、施錠することができる
ことを特徴とする荷物受入装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
請求項１記載の荷物受入装置は、壁又はドア又はドアの袖付き枠又は引き戸である本体と、この本体を貫通し、荷物を入れる貫通孔と、前記本体に回動自在に接続され、前記貫通孔を開閉する外側蓋体と、前記外側蓋体の開閉を行う施錠手段と、前記貫通孔の前記本体の内側に連通し、前記荷物を受け入れる袋体と、前記本体の内側に位置すると共に、前記本体に回動自在に接続され、前記貫通孔を開閉する内側蓋体とを備え、この内側蓋体は、水平方向に回動するものであり、前記荷物の侵入により回動するものであり、前記袋体は、折曲自在であり、前記施錠手段で施錠を解除して前記外側蓋体を開け、荷物を前記袋体内へ入れると、前記荷物が前記袋体を介して前記内側蓋体に接触して前記内側蓋体を回動させると共に、前記荷物が前記袋体内へ収納され、前記荷物は前記袋体を介して前記本体の内側の床面に当接し、その後、前記外側蓋体を締めて、施錠することができるものである。
【手続補正４】
【補正対象書類名】明細書
【補正対象項目名】００１４
【補正方法】削除
【補正の内容】